(57)【要約】【課題】表示面を有する表示ブロックを開閉することが出来る情報処理装置において、表示面が閉じたことを検知する為に使用している機械的スイッチやマグネット検知スイッチを無くすることにより、情報処理装置の小型化や、これらのスイッチに伴う開閉検知に関する誤動作を防止することを目的とする。【解決手段】本発明の情報処理装置は、ＬＣＤ２の表示エリアよりも大きい入力エリアを有するタッチパネル３を有し、ＬＣＤブロック１が本体ブロック４に重ねられるように閉じられたとき、タッチパネル３と向かい合う本体ブロック４に突起部５を設けている。ＬＣＤブロック１を閉じた時は突起部５がタッチパネル３の座標３ａを押し、タッチパネル３の座標３ａが一定時間入力されたと判定された場合に、ＬＣＤブロック１が閉じられているとシステムが判断する。【選択図】図１
2006072871.tif 000002
【特許請求の範囲】
【請求項１】
表示ブロックが本体ブロックに開閉可能に取り付けられた情報処理装置において、ＬＣＤ等の表示装置と、前記表示装置の表示面上に重ねられて配置されるシステムへの信号入力可能なタッチパネルと、前記表示ブロックが閉じた時に、前記タッチパネルに対向して前記本体ブロックに設けられた突起部と、前記突起部による前記タッチパネルへの入力を検知する入力判定部と、前記入力が前記タッチパネルのあらかじめ決められた座標への入力であるかどうかを判定することにより前記表示ブロックの開閉状態を検知する開閉判定部とを備えた情報処理装置。
【請求項２】
表示装置の表示エリアよりもタッチパネルの入力エリアの方が大きいことを特徴とする請求項１記載の情報処理装置。
【請求項３】
突起部は、表示ブロックが閉じられた時、表示装置の表示エリア外で、且つ、タッチパネルの入力エリア内に対向する位置に設けられることを特徴とする請求項２記載の情報処理装置。
【請求項４】
突起部は、表示ブロックが閉じられた時、表示装置の表示エリア内で、且つ、タッチパネルの入力エリア内に対向する位置に設けられることを特徴とする請求項１記載の情報処理装置。
【請求項５】
突起部は、タッチパネルを押圧することを特徴とする請求項１乃至請求項４のいずれかに記載の情報処理装置。
【請求項６】
突起部は、弾性体であることを特徴とする請求項５記載の情報処理装置。
【請求項７】
突起部は、本体ブロックの筐体と一体化されたものであることを特徴とする請求項１乃至請求項４のいずれかに記載の情報処理装置。
【請求項８】
タッチパネルのあらかじめ決められた座標にある一定時間以上入力された場合に、表示ブロックが閉じられたと判定することを特徴とする請求項１記載の情報処理装置。
【請求項９】
突起部により入力されるタッチパネルのあらかじめ決められた座標位置に所定の表示を行うことを特徴とする請求項１記載の情報処理装置。
【発明の詳細な説明】
【技術分野】
【０００１】
本発明は表示装置の表示面上にタッチパネルを有するノート型パーソナルコンピュータ等の情報処理装置に関するものである。
【背景技術】
【０００２】
ノート型パーソナルコンピュータ等のように、表示面を有する表示ブロックを開閉することが出来る情報処理装置において、内蔵する液晶表示装置（以下ＬＣＤと称する）等の表示装置の表示を消したり、システムを省電力モードに入れる目的で表示ブロックが閉じたことを検知する為に、従来は機械的スイッチやマグネット検知スイッチを使用していた（例えば特許文献１参照）。これらのスイッチは、通常、情報処理装置の本体ブロック側に設けられ、表示ブロックが閉じられたときに表示ブロックの筐体によってスイッチを押したり、表示ブロックと本体ブロックが近接したことをマグネット検知スイッチが磁気を感知するなどにより、表示ブロックの開閉を検出するようにしたものである。
【０００３】
一方、近年、入力手段として表示面上にタッチパネルを有する情報処理装置も増えて来ている。このような情報処理装置は、キーボードやマウスなどの入力装置に加え、表示面上を押圧することにより直接入力できるため、情報処理装置の使い勝手を向上させることができるものである。
【特許文献１】特開２０００−１１３７６８号公報
【発明の開示】
【発明が解決しようとする課題】
【０００４】
しかしながら、従来の機械的スイッチやマグネット検知スイッチでは、情報処理装置が小型化されるに伴い、そのスイッチを配置するスペースを確保出来ない場合や、機械的スイッチの引掛りやマグネットスイッチの性能ばらつき等のために表示ブロック開閉検知に関する誤動作が発生する場合があった。
【０００５】
本発明は、表示面を有する表示ブロックを開閉することが出来る情報処理装置において、内蔵するＬＣＤ等の表示装置の表示を消したり、システムを省電力モードに入れる目的で表示ブロックが閉じたことを検知する為、従来使用されていた機械的スイッチやマグネット検知スイッチを無くすることにより、情報処理装置の小型化、およびこれらのスイッチに伴う開閉検知に関する誤動作等を防止することを目的とする。
【課題を解決するための手段】
【０００６】
上記課題を解決するために、本発明の情報処理装置は、ＬＣＤ等の表示装置の表示エリアよりも大きい入力エリアを有するタッチパネルを有し、表示ブロックを閉じた時に表示装置の表示エリア外で、且つ、タッチパネル入力エリアのうちのあらかじめ決めておいた領域を押すように、表示面と向かい合う情報処理装置本体に突起を設けている。また、タッチパネル座標演算送出部は、そのあらかじめ決めた突起部の座標が一定時間以上押されているかの判別機能を有する。本発明の情報処理装置において、ＬＣＤ部を閉じた時は突起部が表示装置の表示エリア外のタッチパネルを押し、タッチパネル演算送出部が突起部の座標があらかじめ決めたある一定時間以上入力されたと判定した場合に、表示面が閉じられているとシステムが判断する。
【発明の効果】
【０００７】
本発明の情報処理装置は、上記構成を有し、機械的スイッチやマグネット検知スイッチ無しに、表示ブロックの開閉を検知することができ、これらのスイッチに伴う表示ブロック開閉検知に関する誤動作をなくし、不要になったスペースを情報処理装置の小型化に役立てることができる。
【発明を実施するための最良の形態】
【０００８】
以下、本発明の実施の形態を、図面を参照しながら説明する。
【０００９】
（実施の形態１）
図１は本発明の一実施の形態の情報処理装置の概略外観図であり、説明を簡素化するため構成を一部省略したものである。図１において、ＬＣＤブロック１は本体ブロック４に開閉可能に取り付けられている。ＬＣＤブロック１はＬＣＤ２と、ＬＣＤ２の表示面上に重ねられて配置されたタッチパネル３を有する。タッチパネル３の入力エリアは、ＬＣＤ２の表示エリアよりも大きくなっている。また、本体ブロック４に突起部５を有している。突起部５は、弾性体であり、ＬＣＤブロック１が本体ブロック４に重ねられるように閉じられたとき、対向するタッチパネル３に接触し押圧できる高さになるように設けられている。また、突起部５はタッチパネル３の座標３ａを押圧する位置に設けられる。突起部５は弾性体のため、タッチパネル３を必要以上に押圧することはなく、押圧によってタッチパネル３が損傷する恐れはない。
【００１０】
図２は本実施の形態の情報処理装置のタッチパネル座標演算送出部のアルゴリズムを示すフローチャートである。図２において、タッチパネル座標演算送出部のアルゴリズムは、タッチパネル３に入力があったかを判定する入力判定部６と、入力があった場合に、それが座標３ａであり、その入力がある一定期間以上継続しているかどうかを判定するＬＣＤ開閉判定部７と、その判定をシステムに伝える機能を有する。
【００１１】
以上のように構成された本実施の形態の情報処理装置において、ＬＣＤブロック１が閉じられているときは、突起部５がＬＣＤ表示エリア２の外で且つタッチパネル３の中であらかじめ決めている座標３ａを押圧する。タッチパネル３が押圧されたことを入力判定部６が判定し、その座標が座標３ａでありその入力が一定時間以上継続しているとＬＣＤ開閉判定部７が判定することにより、ＬＣＤブロック１が閉じられていることを認識する。
【００１２】
本発明のより具体的な実施の形態について図１と図２を用いてさらに説明する。
【００１３】
ＬＣＤブロック１が閉じられている時は、図１において突起部５がＬＣＤ表示エリア２の外で且つタッチパネル３の中であらかじめ決めている座標３ａを押圧する。その時、図２においてタッチパネル３の入力判定部６は入力があったと判断し、座標を計算する。ＬＣＤ開閉判定部７で、その座標が座標３ａと一致しその入力があらかじめ決めたある一定時間以上継続したと判定された場合は、ＬＣＤが閉じられているという情報をシステムに送出する。
【００１４】
ＬＣＤブロック１が開いている時は、図１の突起部５がタッチパネル３を押圧することは無い。この時、情報処理装置の使用者がタッチパネル３を入力手段としてＬＣＤ表示エリア２を押圧したときは、図２の入力判定部６でタッチパネル３が押圧されたと判定するが、その座標が座標３ａとは異なるため、ＬＣＤ開閉判定部７でＬＣＤブロック１が閉じられているとは判定されず、通常のタッチパネル入力としてシステムへ座標を送出する。よってこの時にはシステムにＬＣＤブロック１が閉じられているという情報が送出されることは無い。システムは、ＬＣＤブロック１が閉じられているという情報を受信していない時は、ＬＣＤブロック１は開いていると判断する。
【００１５】
また、ＬＣＤブロック１が開いている時で、情報処理装置の使用者がタッチパネル３を入力していない時は、図２の入力判定部６が入力が無いと判断し座標演算の動作に進まないため、システムにＬＣＤブロック１が閉じられているという情報が送出されることは無い。システムは、ＬＣＤブロック１が閉じられているという情報を受信していない時は、ＬＣＤブロック１は開いていると判断する。
【００１６】
尚、ＬＣＤブロック１が閉じられた時に突起部５が押す座標はＬＣＤ表示エリア外に配置されているため、情報処理装置の使用者が通常押すことはないが、誤って入力した場合も、ＬＣＤ開閉判定部７ではある一定時間以上継続して入力された場合にのみＬＣＤブロック１が閉じられたと判断するため、ＬＣＤブロック１が閉じられたとシステムが誤判断することはない。
【００１７】
なお、本実施の形態では、ＬＣＤ表示エリア外のタッチパネルの座標を突起部で押圧するようにしたが、これをＬＣＤ表示エリア内を押圧するようにし、通常入力かＬＣＤブロックが閉じられたものであるかは、一定時間以上継続して入力されたかどうかのみで判断するようにしてもよい。こうすれば、ＬＣＤ表示エリアよりもタッチパネルを大きくすることなく有効に使用することができる。
【００１８】
また、本実施の形態では、タッチパネルを押圧による入力式のものとしたが、これに限られるものではなく、接触、非接触を含め他の方式によるものであってもよく、要するに、タッチパネルの入力を表示ブロックの開閉検出に用いるようにしたものであれば何でもよい。
【００１９】
従って、本体ブロックに設ける突起部も、弾性体ではなく、例えば本体筐体自身と一体化されたものであってもよく、他の材質のものであってもよい。
【００２０】
また、表示装置はＬＣＤに限定されず、例えばプラズマディスプレイであってもよいことはいうまでもない。
【００２１】
また、タッチパネルが突起部により押圧される位置（実施の形態における座標３ａ）の位置に、印刷等の手段で何らかの表示を行うことによって、表示ブロックを開いた状態でその部分を押圧し、表示装置の表示を消したり、システムを省電力モードに入れることができる。
【００２２】
このように、入力手段として表示面上にタッチパネルを有する情報処理装置において、その機能を表示ブロックの開閉検出に利用することにより、従来の開閉検出に必要としていた機械的スイッチやマグネット検知スイッチを設ける必要がなくなり、これらのスイッチに伴う表示ブロック開閉検知に関する誤動作などの従来の問題点を解決し、さらに不要になったスペースを情報処理装置の小型化に役立てることができる。
【産業上の利用可能性】
【００２３】
本発明にかかる情報処理装置は、機械的スイッチやマグネット検知スイッチ無しに、表示ブロックの開閉を検知することができる機能を有し、表示面上にタッチパネルを有するノート型パーソナルコンピュータ等の情報処理装置等として有用である。
【図面の簡単な説明】
【００２４】
【図１】本発明の一実施の形態の情報処理装置の概略外観図
【図２】本発明の一実施の形態の情報処理装置の座標演算送出部のフローチャート
【符号の説明】
【００２５】
１  ＬＣＤブロック
２  ＬＣＤ表示エリア
３  タッチパネル
３ａ  座標
４  本体ブロック
５  突起部
６  入力判定部
７  ＬＣＤ開閉判定部
【図１】
2006072871.tif 000003
【図２】
2006072871.tif 000004